(57)【要約】【課題】安全に放電すると共に、放電時に電流の方向を認識可能とする。【解決手段】被覆されると共に２本の互いに被覆色の異なる導電性のプローブと、上記プローブに接続されると共に互いに逆接続となるように接続される２つの発光ダイオードと、上記発光ダイオードに接続される電気抵抗部とを備え、２つの上記発光ダイオードは、発光色が互いに異なる。【選択図】図２
2019129191.tif 000002
【特許請求の範囲】
【請求項１】
被覆されると共に２本の互いに被覆色の異なる導電性のプローブと、
前記プローブに接続されると共に互いに逆接続となるように接続される２つの発光ダイオードと、  前記発光ダイオードに接続される電気抵抗部とを備え、
２つの前記発光ダイオードは、発光色がそれぞれ前記プローブの被覆色と同一である
ことを特徴とする放電治具。
【請求項２】
前記プローブと前記発光ダイオードとの間を接続または遮断するスイッチを備えることを特徴とする請求項１記載の放電治具。
【請求項３】
前記プローブと前記発光ダイオードとの間に設けられると共にテスタのプローブと電気的に接続可能とされる接続端子を備えることを特徴とする請求項１または２記載の放電治具。
【請求項４】
前記電気抵抗部よりも高い電気抵抗値を有する第２電気抵抗部と、
前記電気抵抗部と前記第２電気抵抗部とを切り替える抵抗選択スイッチと
を備えることを特徴とする請求項１〜３のいずれか一項に記載の放電治具。
【発明の詳細な説明】
【技術分野】
【０００１】
本発明は、放電治具に関するものである。
【背景技術】
【０００２】
例えば、特許文献１には、コンデンサの放電を行うコンデンサ放電治具が開示されている。このコンデンサ放電治具は、放熱体と表示部とを有しており、コンデンサと接触させることにより、コンデンサの電荷を放電させると共に、表示部を点灯させて、放電処理の視認性を高めている。
【先行技術文献】
【特許文献】
【０００３】
【特許文献１】特開平９−９２５７０号公報
【発明の概要】
【発明が解決しようとする課題】
【０００４】
しかしながら、特許文献１の放電治具においては、表示部にネオンランプを使用しているため、電流の流れる方向に制約がなく、放電対象の極性を把握するのに困難である。さらに、ネオンランプは放電開始電圧が約７０Ｖと比較的高い電圧が必要であり、かつ放電停止電圧が約６０Ｖであるため、６０Ｖ以下の放電ができない。
【０００５】
本発明は、上述する問題点に鑑みてなされたもので、安全に放電すると共に、放電時に電流の方向を認識可能とすることを目的とする。
【課題を解決するための手段】
【０００６】
本発明は、上記課題を解決するための第１の手段として、被覆されると共に２本の互いに被覆色の異なる導電性のプローブと、上記プローブに接続されると共に互いに逆接続となるように接続される２つの発光ダイオードと、上記発光ダイオードに接続される電気抵抗部とを備え、２つの上記発光ダイオードは、発光色が互いに異なる、という構成を採用する。
【０００７】
第２の手段として、上記第１の手段において、上記プローブと上記発光ダイオードとの間を接続または遮断するスイッチを備える、という構成を採用する。
【０００８】
第３の手段として、上記第１または第２の手段において、上記プローブと上記発光ダイオードとの間に設けられると共にテスタのプローブと電気的に接続可能とされる接続端子を備える、という構成を採用する。
【０００９】
第４の手段として、上記第１〜３のいずれかの手段において、上記電気抵抗部よりも高い電気抵抗値を有する第２電気抵抗部と、上記電気抵抗部と上記第２電気抵抗部とを切り替える抵抗選択スイッチとを備える、という構成を採用する。
【発明の効果】
【００１０】
本発明によれば、２つのプローブに対して、プローブの被覆色に対応した発光色の発光ダイオードを逆接続にて接続している。これにより、点灯した発光ダイオードにより、電流の流れを判別することができる。したがって、放電時に電流の方向を認識可能とすることができる。さらに、プローブの被覆色と発光ダイオードの被覆色とが同一であることにより、電流の流れ方向の視認がより容易となる。
【図面の簡単な説明】
【００１１】
【図１】本発明の一実施形態における放電治具の全体を示す斜視図である。
【図２】本発明の一実施形態における放電治具の回路構造を示す模式図である。
【図３】本発明の一実施形態における放電治具の変形例を示す斜視図である。
【発明を実施するための形態】
【００１２】
以下、図面を参照して、本発明に係る放電治具の一実施形態について説明する。なお、以下の図面において、各部材を認識可能な大きさとするために、各部材の縮尺を適宜変更している。
【００１３】
［第１実施形態］
図１、２に示すように、本実施形態の放電治具１は、対象装置の放電を行う治具である。放電治具１は、筐体２と、２つのプローブ３ａ、３ｂと、２つのテスタ接続端子４ａ、４ｂと、放電開始スイッチ５と、抵抗選択スイッチ６と、第１電気抵抗部７ａと、第２電気抵抗部７ｂと、ＬＥＤランプ８ａ、８ｂ（発光ダイオード）と、完全放電スイッチ９とを備えている。このうち、プローブ３ａ、３ｂと、テスタ接続端子４ａ、４ｂと、放電開始スイッチ５と、抵抗選択スイッチ６と、第１電気抵抗部７ａと、第２電気抵抗部７ｂと、ＬＥＤランプ８ａ、８ｂとにより放電回路が構成されている。
【００１４】
筐体２は、テスタ接続端子４ａ、４ｂと、放電開始スイッチ５と、抵抗選択スイッチ６と、第１電気抵抗部７ａと、第２電気抵抗部７ｂと、ＬＥＤランプ８ａ、８ｂを収容しており、テスタ接続端子４ａ、４ｂ、放電開始スイッチ５、抵抗選択スイッチ６及びＬＥＤランプ８ａ、８ｂを、外部から視認または操作可能となるように一部露出させている。
【００１５】
プローブ３ａ、３ｂは、それぞれ、把持部と、導電性の探触子とを備えている。把持部は、絶縁部材等により被覆され、作業者が把持可能とされる略円筒状の部材である。また、把持部の被覆色がそれぞれ異なっており、プローブ３ａの被覆色が例えば緑色、プローブ３ｂの被覆色が例えば赤色とされている。また、把持部の内部には、リード線が収容されている。探触子は、把持部の端部から突出して設けられる導電部材である。探触子は、把持部に端部が収容されたリード線と接続されており、テスタ接続端子４ａ、４ｂ、電気抵抗部７ａ、７ｂ及びＬＥＤランプ８ａ、８ｂ（発光ダイオード）と電気的に接続されている。リード線は、絶縁被覆されており、筐体２から外部に露出しており、プローブ３ａ、３ｂは上下左右方向に移動させることが可能である。
【００１６】
２つのテスタ接続端子４ａ、４ｂは、筐体２から一部が露出して設けられ、テスタＴのプローブＴ１、Ｔ２が挿入可能とされている。テスタ接続端子４ａがプローブ３ａ側に設けられ、テスタ接続端子４ｂがプローブ３ｂ側に設けられている。
【００１７】
放電開始スイッチ５は、テスタ接続端子４ａ、４ｂと、電気抵抗部７ａ、７ｂ及びＬＥＤランプ８ａ、８ｂとの間に設けられた２極のトグルスイッチである。放電開始スイッチ５は、プローブ３ａ、３ｂと、電気抵抗部７ａ、７ｂ及びＬＥＤランプ８ａ、８ｂとの間をそれぞれ同時に接続／遮断する。
【００１８】
抵抗選択スイッチ６は、並列に接続された第１電気抵抗部７ａと第２電気抵抗部７ｂとを切り替えるスイッチである。
第１電気抵抗部７ａは、並列に接続された電気抵抗７ａ１を複数有しており、全体で数ｋΩの抵抗値となる。第２電気抵抗部７ｂは、並列に接続された電気抵抗７ｂ１を複数有しており、全体で数十ｋΩの抵抗値となる。すなわち、第２電気抵抗部７ｂは、第１電気抵抗部７ａよりも高い電気抵抗値を有している。また、電気抵抗部７ａ、７ｂにおいては、複数の電気抵抗を並列に接続することにより、１つの電気抵抗に流れる電流を分散させ、電気抵抗にかかる負荷や発熱を低減させている。
【００１９】
ＬＥＤランプ８ａ、８ｂは、ＬＥＤ（Light Emitting Diode）であり、互いに並列に設けられている。すなわち、プローブ３ａ側が正極の場合にはＬＥＤランプ８ａへと電流が流れ、プローブ３ｂ側が正極場合にはＬＥＤランプ８ｂへと電流が流れる。また、ＬＥＤランプ８ａと、ＬＥＤランプ８ｂとは、それぞれプローブ３ａ、３ｂの被覆色と対応する発光色とされる。例えば、ＬＥＤランプ８ａが緑色、ＬＥＤランプ８ｂが赤色とされる。
【００２０】
完全放電スイッチ９は、ＬＥＤランプ８ａ、８ｂと並列に設けられたスイッチである。完全放電スイッチ９が押下されることにより、ＬＥＤランプ８ａ、８ｂを回避してプローブ３ａまたはプローブ３ｂへと電流を流すことができる。
【００２１】
このような放電治具１の使用方法について説明する。本実施形態では、一例として、対象装置としてコンデンサを放電させる場合について説明する。
まず、作業者は、プローブ３ａ、３ｂをコンデンサの両端子に接触させ、テスタＴのプローブＴ１、Ｔ２をテスタ接続端子４ａ、４ｂに挿入する。作業者は、コンデンサの電圧を読み取り、コンデンサの電圧が予め規定された電圧値（本実施形態においてはＤＣまたはＡＣ２５０Ｖ）以下であるか否かを確認し、この電圧に合わせて抵抗選択スイッチ６を操作する。そして、作業者は、プローブ３ａ、３ｂをコンデンサの両端子に接触させた状態で、放電開始スイッチ５をＯＮにする。これにより、プローブ３ａ、３ｂと、電気抵抗部７ａ、７ｂ及びＬＥＤランプ８ａ、８ｂとが電気的に接続される。
【００２２】
プローブ３ａが正極側に接触している場合、コンデンサからの放電電流は、第１電気抵抗部７ａまたは第２電気抵抗部７ｂを通り、ＬＥＤランプ８ａを点灯させる。プローブ３ｂが正極側に接触している場合、コンデンサからの放電電流は、ＬＥＤランプ８ｂを点灯させ、第１電気抵抗部７ａまたは第２電気抵抗部７ｂへと流れる。
【００２３】
さらに、ＬＥＤランプ８ａまたはＬＥＤランプ８ｂが点灯しなくなると、作業者は、完全放電スイッチ９を押下する。これにより、放電電流は、ＬＥＤランプ８ａ、８ｂを回避して流れるため、ＬＥＤランプ８ａ、８ｂの消灯後に、ＬＥＤランプ８ａ、８ｂの電圧降下分を放電させることができ、コンデンサ内の電荷を完全に放電できる。
【００２４】
本実施形態によれば、２つのプローブ３ａ、３ｂに対して、各プローブの被覆色と対応した発光色のＬＥＤランプ８ａ、８ｂを逆接続にて接続している。これにより、点灯したＬＥＤランプにより、電流の流れを判別することができる。したがって、放電時に電流の方向を認識可能とすることができる。さらに、プローブ３ａ、３ｂの被覆色とＬＥＤランプ８ａ、８ｂの被覆色とが同一であることにより、電流の流れ方向の視認がより容易となる。
【００２５】
本実施形態によれば、プローブ３ａ、３ｂと、電気抵抗部７ａ、７ｂ及びＬＥＤランプ８ａ、８ｂとの間を接続／遮断する放電開始スイッチ５を備えている。これにより、プローブ３ａ、３ｂが対象装置に接触した状態で、電気抵抗部７ａ、７ｂ及びＬＥＤランプ８ａ、８ｂを放電電流から完全に遮断することができる。これにより、過大な電圧または電流が電気抵抗部７ａ、７ｂ及びＬＥＤランプ８ａ、８ｂに流れることを防止でき、安全である。
【００２６】
また、本実施形態によれば、テスタＴのプローブＴ１、Ｔ２と電気的に接続可能なテスタ接続端子４ａ、４ｂを備えている。これにより、放電治具１にテスタＴを接続することができ、放電前にテスタＴにて対象装置の電圧を計測することが容易である。すなわち、放電開始前にテスタＴを用いて対象装置の電圧値を測定し、対象装置が予め規定された電圧値以下であることを確認することが可能であり、かつ、放電後に、テスタＴにより電圧値を計測することで完全に放電されているかを確認することができる。
【００２７】
また、本実施形態によれば、第１電気抵抗部７ａと第２電気抵抗部７ｂとを抵抗選択スイッチ６により選択可能とされている。これにより、対象装置の静電容量に合わせて、電気抵抗値を変更することができる。
【００２８】
［第２実施形態］
上記第１実施形態の変形例を第２実施形態として図３を参照して説明する。なお、第１実施形態と共通の構成については、符号を同一とし、説明を省略する。
本実施形態において、放電治具１は、図３に示すように、プローブ３ａ、３ｂと異なる形状のプローブ３ｃ、３ｄを有している。プローブ３ｃ、３ｄは、筐体２の内部に固定され、探触子が筐体２から直接突出している。また、プローブ３ｃとプローブ３ｄとの間隔が変更可能とされている。
【００２９】
本実施形態によれば、点灯したＬＥＤランプにより、電流の流れを判別することができる。したがって、放電時に電流の方向を認識可能とすることができる。
【００３０】
また、本実施形態によれば、作業者が、コンデンサのリード線の間隔と合うようにプローブ３ｃとプローブ３ｄとの間隔を調節することにより、コンデンサの２本のリード線にプローブ３ｃ、３ｄを接触させることが容易となる。したがって、例えば、同一規格の複数のコンデンサを放電させる場合、作業効率を向上させることができる。
【００３１】
以上、図面を参照しながら本発明の好適な実施形態について説明したが、本発明は上記実施形態に限定されるものではない。上述した実施形態において示した各構成部材の諸形状や組み合わせ等は一例であって、本発明の趣旨から逸脱しない範囲において設計要求等に基づき種々変更可能である。
【００３２】
上記実施形態においては、放電治具１は、テスタ接続端子４ａ、４ｂを備えるものとしたが、本発明はこれに限定されない。テスタＴを用いることなく、電気抵抗部７ａ、７ｂを選択することも可能である。
【００３３】
また、上記実施形態においては、対象装置としてコンデンサを一例に挙げているが、本発明はこれに限定されない。対象装置は、例えばバッテリとすることも可能である。
【００３４】
また、上記実施形態においては、完全放電スイッチ９は、ＬＥＤランプ８ａ、８ｂと並列に接続されるものとしたが、本発明はこれに限定されない。完全放電スイッチ９は、プローブ３ａ、３ｂを短絡する導線中に設けられるものとしてもよい。この場合、ＬＥＤランプ８ａ、８ｂの消灯後に、ＬＥＤランプ８ａ、８ｂと電気抵抗部７ａ、７ｂとを回避して放電電流が流すことができるため、電気抵抗部７ａ、７ｂにおける電圧降下分についても放電することができ、より安全である。
【００３５】
なお、ＬＥＤランプ８ａ、８ｂを順接続で並列接続しても、放電治具として使用することが可能である。この場合、それぞれのＬＥＤランプに分かれて電流が流れるため、大電流に耐えうる回路を形成することも可能である。
【符号の説明】
【００３６】
１  放電治具
２  筐体
３ａ  プローブ
３ｂ  プローブ
３ｃ  プローブ
３ｄ  プローブ
４ａ  テスタ接続端子
４ｂ  テスタ接続端子
５  放電開始スイッチ
６  抵抗選択スイッチ
７ａ  第１電気抵抗部
７ａ１  電気抵抗
７ｂ  第２電気抵抗部
７ｂ１  電気抵抗
８ａ  ＬＥＤランプ
８ｂ  ＬＥＤランプ
９  完全放電スイッチ
Ｔ  テスタ
Ｔ１  プローブ
Ｔ２  プローブ
【図１】
2019129191.tif 000003
【図２】
2019129191.tif 000004
【図３】
2019129191.tif 000005